(57)【要約】      （修正有）【課題】カット施術やパーマネント施術等に必要となるロッド，ダカール，ピン，アイロン，コーム，ハサミ，カーラー，ブラシ，バリカン等の多くの種類の理美容器具を多数着脱自在に係止して機能的かつコンパクトに収納及び取り外しが容易で、多くの理美容器具を手元に置いておくことが可能で準備や移動時間を短縮して作業性を著しく向上できると共に、大型の移動式ワゴン等のような設置スペースが不要で、美容室、理容室の店内の空間を有効に利用することのできる理美容器具係止ワゴンを提供する。【解決手段】下部にキャスター２ａを配し、上部又は側部に全体の重心を下げるための錘を備えた底部支持部２と、底部支持部に立設された軸部３とを設ける。さらに、軸部にフック状若しくは格子状或いは輪状に形成された係止部材４と、軸部の頂部に固定又は着脱自在に係止された角度調節機構を有する容器支持部７と、容器支持部に固定又は着脱自在に係止された器具容器１０と、を備えて理美容器具係止ワゴンを構成する。【選択図】図１
0003159071.tif 000002
【実用新案登録請求の範囲】
【請求項１】
（ａ）下部又は側部に移動手段を有し、上部又は側部に錘を備えた底部支持部と、
（ｂ）前記底部支持部に立設された軸部と、
（ｃ）前記軸部にフック状若しくは格子状或いは輪状に形成された係止部材と、
（ｄ）前記軸部の頂部に固定又は着脱自在に係止された角度調節機構を有する容器支持部と、
（ｅ）前記容器支持部に固定又は着脱自在に係止された器具容器と、
を備えたことを特徴とする理美容器具係止スタンド。
【請求項２】
前記係止部材が、前記係止部材に形成されたＵ字状の挟持部により前記軸部に着脱自在に係止されていることを特徴とする請求項１に記載の理美容器具係止スタンド。
【請求項３】
前記係止部材が輪状嵌合部を備え、前記軸部へ嵌合又は挟持された截頭錐状中空体に着脱自在に係止されることを特徴とする請求項１又は２に記載の理美容器具係止スタンド。
【請求項４】
前記容器支持部が平板状に形成された平板型支持部を備え、前記器具容器が、前記平板型支持部が挿入され着脱自在に係止可能なスリットを有することを特徴とする請求項１乃至３の内いずれか１項に記載の理美容器具係止スタンド。
【考案の詳細な説明】
【技術分野】
【０００１】
本考案は、理美容器具を係止し収納するためのスタンドに関し、更に詳しくは、カット施術やパーマネント施術等に必要となるロッド，ダカール，ピン，アイロン，コーム，ハサミ，カーラー，ブラシ，バリカン等の多くの理美容器具を着脱自在に係止して機能的かつコンパクトに収納し、理美容施術の作業性を著しく向上することが可能な理美容器具係止スタンドに関するものである。
【背景技術】
【０００２】
カット施術やブロー施術、パーマネント施術等は通常複数組合せて提供されるものであり、顧客ごとに施術の種類と組合せ、また施術の順序などが異なり、顧客ごとにサービスの各段階で必要な道具を一式揃えて施術を行う必要がある。理美容器具の準備や入れ替え等には時間がかかり、また理美容器具の準備や入れ替えのために他の従業員の補助が必要となる場合もあるために、サービスの各段階に要する施術時間が長くなって、施術者や他の従業員そして被施術者にも身体的・精神的に負担となっていた。
従来は、上記理美容器具をワゴン上に載置あるいはワゴンの棚に収納することで対応していたが、ワゴン上に載置したものはワゴンの移動中に転がって落下したり、施術中に不意に手先が触れて落下したり、またアイロン等のように加熱部を有するものはワゴンや周りのものを加熱してしまう恐れがある。更に、棚に収納したものは取り出すのに手間がかかっていた。また、ワゴンはスペースを取るので、顧客の移動時に邪魔になり、店内のスペースを有効活用できないという課題があった。
パーマネントウェーブを施術する際にはロッド，輪ゴム，ペーパー，ピン，ハサミ，カーラー，パーマネント液入り容器等を移動式ワゴン上のトレー内に載置し、このワゴンを施術者の利き手側に移動させ、施術作業を進めるのが一般的である。
しかし、この方法ではワゴンの幅が大きくなり、施術作業者は必要な器具を手に取るために、被施術者とワゴンとの間を何度も往復しなければならず、施術作業の効率が下がり、施術作業者の労力もさることながら、長時間施術を受ける被施術者にも身体的・精神的な負担を強いるという課題があった。
【０００３】
これら課題解決の為に、（特許文献１）には、引き出しを備えるワゴン本体の上部に、前後両方に引き出し自在にスライド板を装着し、ワゴン本体から引き出されるスライド板の前後端の一方と他方に、理美容器具を差し込んで保持するホルダ孔を適宜振り分けて形成した理美容用ワゴンが開示されている。
（特許文献２）には、円板の外周縁部に理容アイロンの鏝先を下向きに挿入するように筒管の多数を取り付け、スタンド台に立設させた中心軸に対し回転自在となるよう軸支させた理容アイロンスタンドが開示されている。
【先行技術文献】
【特許文献】
【０００４】
【特許文献１】特開２００３−３０４９３１号
【特許文献２】実開昭６１−１１０３０１号
【考案の概要】
【考案が解決しようとする課題】
【０００５】
しかしながら、上記従来の技術においては、次のような課題を有していた。
（１）（特許文献１）には、引き出しを備えるワゴン本体の上部に、前後両方に引き出し自在にスライド板を装着し、ワゴン本体から引き出されるスライド板の前後端の一方と他方に、理美容器具を差し込んで保持するホルダ孔を適宜振り分けて形成した理美容用ワゴンが示されているが、スライド板のホルダ孔によってブラシやアイロンの保持が確実になったものの、多くの理美容器具を収納することができず、少数の理美容器具しか確実に保持できないうえに、保持時にはスライド板が突出している状態なので、保持しながらの移動が難しく、結局はサービスの各段階で理美容器具を準備する必要があり、従業員の作業時間を増やしてしまうという課題があった。また、様々な施術に対応するためには、理美容器具各々の形にスライド板のホルダ孔を加工する必要があり、汎用性、量産性に欠けるという課題があった。
（２）（特許文献２）には、円板の外周縁部に理容アイロンの鏝先を下向きに挿入するように多数の筒管を取り付け、スタンド台に立設させた中心軸に対し、回転自在となるよう軸支させた理容アイロンスタンドが示されており、アイロンの取出しが容易になるように収納可能だが、かなりの設置スペースを確保する必要があり、施術担当者の手元に置いておくことができず、省スペース性、使用性に欠けるという課題があった。
【０００６】
本考案は上記従来の課題を解決するもので、カット施術やパーマネント施術等に必要となるロッド，ダカール，ピン，アイロン，コーム，ハサミ，カーラー，ブラシ，バリカン等の多くの種類の理美容器具を多数着脱自在に係止して機能的かつコンパクトに収納及び取り外しが容易で、更に多くの理美容器具を手元に置いておくことが可能なので準備や移動時間を大幅に短縮して作業性を著しく向上できると共に、大型の移動式ワゴン等のような設置スペースを確保する必要がなく、省スペース性、設置自在性に優れ、美容室、理容室の店内の空間を有効に利用することのできる理美容器具係止ワゴンを提供することを目的とする。
【課題を解決するための手段】
【０００７】
上記従来の課題を解決するために、本考案の理美容器具係止ワゴンは以下のような構成を有している。
請求項１に記載の考案は、（ａ）下部又は側部に移動手段を有し、上部又は側部に錘を備えた底部支持部と、（ｂ）前記底部支持部に立設された軸部と、（ｃ）前記軸部にフック状若しくは格子状或いは輪状に形成された係止部材と、（ｄ）前記軸部の頂部に固定又は着脱自在に係止された角度調節機構を有する容器支持部と、（ｅ）前記容器支持部に固定又は着脱自在に係止された器具容器と、を備えた構成を有している。
この構成により、以下のような作用が得られる。
（１）フック状若しくは格子状或いは輪状に形成された係止部材を備えているので、多くの理美容器具を着脱自在に係止することができ収納性に優れる。
（２）理美容器具を収納するための収納ケース等も係止部材に着脱自在に係止可能なので、サービスの各段階で必要となる理美容器具を収納ケースごとまとめて取り換えることができ、施術中に理美容器具を取りに行く必要がなく、作業性が向上する。
（３）移動手段によって理美容器具係止スタンドを簡便に移動可能なので、必要な時に必要な場所ですぐに施術の準備することができる。
（４）施術者が施術中に任意の場所へ容易に移動させることや向きを変えたりすることが可能になるので、必要に応じて手元に引き寄せ、器具を手に取ったり、係止部材に係止したりすることや、手元から遠ざけてスムーズに体を移動させながら施術を行うことができ、施術作業性が向上する。
（５）底部支持部に錘を備えていることにより、理美容器具係止スタンドの重心が低く、設置の安定性が増し、移動時に転倒する等の恐れがなく、安全性に優れている。
（６）軸部の頂部に固定又は着脱自在に係止される容器支持部によって器具容器を保持して理美容器具を収納できるので、使用頻度の高いものを優先して頂部の器具容器に配置することで施術作業性を著しく向上させることができる。
（７）容器支持部が角度調節機構を備えており、器具容器の角度を所望の角度に変えられるので、施術者の背の高さ或いは座った状態や立った状態で適切な角度に設定でき、それぞれの姿勢で施術作業性を著しく向上させることができる。
（８）器具容器内部にロッド立てやペーパー収容部、輪ゴム収容部等を適宜形成することができ、収容性に優れている。
【０００８】
ここで、底部支持部の形状に特に制限はないが三脚や四脚等の脚型に形成したり、少なくとも３本以上の梁状に形成したり、円盤状や板状、若しくはドーム状や三角錘型等の立体的な形状に形成することもできる。また、脚形にした場合は折りたたみ可能にすることもできる。
底部支持部や軸部の材質にはアルミニウムやステンレス等の金属或いはポリエチレンやＡＢＳ，ポリカーボネート等の合成樹脂、若しくは木材等を使用することができるが特に制限はない。
また、底部支持部には錘を設けて重心を下げることにより安定化することができる。使用する錘は特に制限はなく、金属製のものや砂袋等を使用することができる。錘は、底部支持部の上部に載置，固定され、更に錘や移動手段のカバーの中に収納されているのが好ましい。この他、底部支持部の側部に錘を備えることや底部支持部を中空に形成し、砂等の錘を入れることもできる。
【０００９】
移動手段として、底部支持部の下部にキャスター及び／又はアジャスター等を使用することができるが特に制限されるものではない。この他にベアリングキャスターやローラー等を使用することができる。
移動手段は、底部支持部の下部に配置してもよいが、底部支持部の側部に配置してもよい。例えば、板状の底部支持部に、横方向に貫通する貫通孔を設け、前記貫通孔にシャフトを挿入し、前記シャフト両端に円盤状のタイヤ部材を備えた構成にすることで底部支持部の側部に配置することもできる。
【００１０】
軸部の形状は円形状、多角形状等に形成することができるが、円形状に形成するのが好ましい。
軸部は、長さが一定でも良いが多段階に長さの調整が可能になっていても良い。例えば、径の異なる２つの円筒部材を用い、径の小さい方を内部に配し、径の大きい円筒部材にグリップボルトを外径から内部にかけて貫通して螺合させ、このグリップボルトの押し付け力によって内部の円筒部材を固定する方法がある。その他、ダンパー（レバー付ショックアブソーバー），ジャッキ，ショックアブソーバー，ボールねじ，油圧機等を軸部の下部に配設して高さを変化させる方法がある。ダンパー等を使用すると、施術中任意の高さに容易に調整できる。
【００１１】
係止部材の材質には、ポリオレフィンやポリカーボネート等の熱可塑性樹脂や熱硬化性樹脂等の合成樹脂、或いはステンレスやアルミ等の金属、または木材等を用いることができる。係止部材を金属線で格子状や輪状に形成する場合は、表面が露出していてもよいが、特に表面に塗装を施したもの或いは合成樹脂や糸等で表面を被覆したものが好適に用いられる。
係止部材をフック状に形成する場合は、特に制限はないが軸部の長手方向に対して垂直或いは斜め上方に突出させるように形成することや、緩やかな曲線を描く様に斜め上方に突出させてアーム状に形成することもできる。また、先端部が上向きになるようにＬ字状或いはＵ字状等のフックにすることができる。フック状の係止部材は中空体状の理美容器具や輪ゴム等の輪状の理美容師器具、そしてフック状の係止部材に掛止可能な掛止部を備えた理美容器具を係止することができる。
【００１２】
また、係止部材を格子状にする場合も特に制限はないが、軸部の長手方向の中心軸と同じ中心軸を有する円筒状に格子を形成することや、軸部の長手方向の中心軸と同一の中心軸を有する様に三角筒型もしくは四角筒型等の多角筒型や円錐型、三角錘型等に形成することができる。単に板状物を垂らして形成することもできる。
係止部材を格子状にした場合、係止した理美容器具の側部が格子状の係止部材の表面に当接、支持されて姿勢が安定し、係止状態の安定性に優れた係止部材とすることができる。また、格子形状は正方格子や三角格子等様々な形状を使用することができる。
係止部材を輪状に形成する場合においても特に制限はないが、軸部の長手方向の中心軸と同じ中心軸を有する様に複数の輪を上下に並設して形成することや、異なる直径の輪を複数種組み合わせて上下に並設してドーム状や瓢箪形状等に形成することができる。
ここで、輪状とは円形状の他、多角形状や星型等のように、線材を用いて形成することのできるあらゆる形状を意味する。係止部材を輪状に形成した場合、ダカール等のクリップ状の理美容器具を、輪状の係止部材に挟ませて、容易に係止することができる。
【００１３】
また、各々の理美容器具の形状に対応させて係止部材の形状や大きさを変えたり、理美容器具をケースやフック等の係止部品を介して係止部材に係止したりすれば、係止状態をより安定化させることができ、係止や取り外しを容易にすることができる。例えば、ロッドを係止するためのフック状の係止部材は、上方にＬ字に湾曲した形状にすることで、ロッドの中空部分にアームを挿通させるだけで係止ができるようになり、係止と取り外しが容易かつ係止状態の安定性に優れた係止部材にすることができる。
係止部材に理美容器具を収納するためのケースやフックを固定及び／又は着脱自在に係止させる場合、例えば円筒状のケースを係止部材に係止して、ハサミやその他の小物類を収納することができる。深さのある大型のケースを係止した場合は、ドライヤーやアイロン等を収納することもできる。また、フックを用いた場合、ドライヤーやアイロンの掛止部を係止することができる。
【００１４】
容器支持部には、ポリエチレン，ポリプロピレン，ポリスチレン，ポリカーボネート等の熱可塑性樹脂、フェノール樹脂，メラミン樹脂等の熱硬化性樹脂等の合成樹脂製の板やステンレスやアルミ等の金属板等の平板或いはクリップ等を用いることができる。
容器支持部を平板型に形成した場合は、器具容器の底部や側面にスリットを設け、そのスリットに容器支持部の平板部を挿入することで、器具容器と容器支持部とを着脱自在に係止することができる。
容器支持部にクリップを用いた場合、器具容器の一部にクリップで挟持可能な縁部を設け、その縁部をクリップで挟持することで、器具容器と容器支持部とを着脱自在に係止することができる。
この他、板状の容器支持部の板状部と器具容器の裏面に面ファスナーを貼着することで、器具容器と容器支持部とを着脱自在に係止する方法等もある。また、容器支持部の板状部又は器具容器の裏面のいずれか一方を着磁性を有する金属で形成するか若しくは容器支持部の板状部又は器具容器の裏面のいずれか一方に着磁性の金属板を貼着し、他方に磁石を配設して着脱自在に着磁してもよい。
器具容器は前述の合成樹脂製の板や金属板等を用いて上面が開口した箱体状や上面が開口した略截頭半球状等に形成されたものが好適に用いられる。
【００１５】
また、フック状及び格子状若しくは輪状の前記係止部材の内少なくとも２以上の前記係止部材を備えた構成の場合、以下のような作用が得られる。
（１）フック状及び格子状及び輪状の内少なくとも２以上の形状を同時に備えることができるので、様々な理美容器具に最適な係止手段を備えることができ、より多くの種類の理美容器具を多数係止可能で、さらに係止と取り外しが容易なので、収納性が向上し、更に施術作業性を向上させることができる。
ロッドやカーラー等の中空体状の理美容器具はフック状の係止部材若しくは係止部材に固定又は着脱自在に係止された小型のケースに収納するのが好ましいが、ドライヤーやアイロン等は格子状の係止部材にフックを介して掛止するか、若しくは係止部材に固定又は着脱自在に係止された大型のケースに収納するのが好ましい。係止部材の形状を２以上同時に備えることによって各々の理美容器具に最適な係止手段を選択することが可能となり、汎用性、使用性に優れる。
【００１６】
請求項２に記載の考案は、請求項１に記載の理美容器具係止スタンドであって、前記係止部材が、前記係止部材に形成されたＵ字状の挟持部により前記軸部に着脱自在に係止されている構成を有している。
この構成により、請求項１で得られる作用に加え、以下のような作用が得られる。
（１）係止部材が挟持部によって軸部へ着脱自在に係止されるので、必要な分だけ係止部材を用意して取り付けることが可能で、理美容器具係止スタンドをコンパクトにすることができる。
（２）様々な係止部材を即座に交換可能で、また複数の係止部材の配置を施術者の好みや使用する理美容器具の数、種類、大きさなどに合わせて任意に設定可能なので、様々な理美容器具を係止すると共に、施術作業性を著しく向上することができる。
【００１７】
請求項３に記載の考案は、請求項１又は２に記載の理美容器具係止スタンドであって、前記係止部材が輪状嵌合部を備え、前記軸部へ嵌合または挟持された截頭錐状中空体に着脱自在に係止される構成を有している。
この構成により、請求項１又は２で得られる作用に加え、以下のような作用が得られる。
（１）截頭錐状中空体が軸部に嵌合または挟持され、その截頭錐状中空体に係止部材の輪状嵌合部が着脱自在に係止されることで係止部材を軸部へ係止することができ、係止部材の取付け、取り外しや交換が著しく容易となる。
【００１８】
截頭錐状中空体は、ポリエチレン，ポリカーボネート，ＡＢＳ等の合成樹脂や木材等で形成する事ができる。
截頭錐状中空体は、中空状に形成されているので、中空部に軸部を嵌合したり、截頭錐状中空体を長手方向に二等分して軸部の周囲から挟持するように嵌めこんだりして固定する等、従来公知の技術を用いて取り付けることができる。
輪状嵌合部は、輪状に形成され、係止部材の一部に形成される。輪状部は截頭錐状中空体の小径部以上大径部未満の直径に形成され、輪状嵌合部の輪状部に截頭錐状中空体の小径部を挿入させ、截頭錐状中空体の中間部付近にて輪状嵌合部の輪状部が截頭錐状中空体と嵌合する。
【００１９】
請求項４に記載の考案は、請求項１乃至３の内いずれか１項に記載の理美容器具係止スタンドであって、前記容器支持部が平板状に形成された平板型支持部を備え、前記器具容器が、前記平板型支持部が挿入され着脱自在に係止可能なスリットを有する構成を有している。
この構成により、請求項１乃至３の内いずれか一項で得られる作用に加え、以下のような作用が得られる。
（１）器具容器のスリットに容器支持部の平板型支持部を挿抜するだけで簡単に器具容器を着脱可能なので、交換作業性に優れる。
（２）平板型支持部が器具容器の底部を支持するので器具容器底部の強度を向上させ、理美容器具の自重によって容器が歪むことを防止でき、収納安定性に優れる。
【００２０】
平板型支持部には、前述の合成樹脂製の板や金属板等を使用することができる。形状は三角形，四角形，五角形等が好適に用いられる。スリットは器具容器の側面或いは底部に設けられ、平板型支持部を挿入可能な状態にしたものであればよい。
【考案の効果】
【００２１】
以上のように構成された理美容器具係止スタンドによれば、以下のような効果が得られる。
請求項１に記載の考案によれば、以下のような効果を有する。
（１）フック状若しくは格子状或いは輪状に形成された係止部材を備えているので、多くの理美容器具を着脱自在に係止することができ収納性に優れる理美容器具係止スタンドを提供することができる。
（２）理美容器具を収納するための収納ケース等も係止部材に着脱自在に係止可能なので、サービスの各段階で必要となる理美容器具を予め収納ケースごとまとめて取り換えることにより、施術途中で理美容器具を取りに行く必要がなく、作業性に優れた理美容器具係止スタンドを提供することができる。
（３）移動手段により、理美容器具係止スタンドを移動可能なので、必要な時に必要な場所へすぐに施術の準備が可能な理美容器具係止スタンドを提供することができる。
（４）施術者が施術中に任意の場所へ容易に移動させることが可能で施術作業性に優れた理美容器具係止スタンドを提供することができる。
（５）底部支持部に錘を備えているので、重心が低く、設置安定性に優れ、移動時に転倒等の恐れがなく、安全性に優れた理美容器具係止スタンドを提供することができる。
（６）軸部の頂部に配置した器具容器に、使用頻度の高い理美容器具を優先して収納、配置することができる施術作業性に優れた理美容器具係止スタンドを提供することができる。
（７）容器支持部に角度調節機構を備えることにより、器具容器の角度を所望の角度に変えることができ、施術者の体格や姿勢に応じて適切な角度で使用することができる施術作業性に優れた理美容器具係止スタンドを提供することができる。
（８）器具容器内部にロッド立てやペーパー収容部、輪ゴム収容部等を適宜形成することができる収容性に優れた理美容器具係止スタンドを提供することができる。
【００２２】
請求項２に記載の考案によれば、請求項１の効果に加え、以下のような効果を有する。
（１）予め用意した係止部材を必要な分だけ軸部へ係止して使用することにより、理美容器具係止スタンドをコンパクト化することができる省スペース性に優れた理美容器具係止スタンドを提供することができる。
（２）様々な係止部材を即座に交換可能で、また複数の係止部材の配置を施術者の好みや施術内容などに応じて任意に設定して、様々な理美容器具を効率的に配置、収納することができる施術の作業性、効率性に優れた理美容器具係止スタンドを提供することができる。
【００２３】
請求項３に記載の考案によれば、請求項１又は２の効果に加え、以下のような効果を有する。
（１）截頭錐状中空体が軸部に嵌合または挟持され、その截頭錐状中空体に係止部材の輪状嵌合部が着脱自在に係止されることで係止部材を軸部へ係止することができ、係止部材の取付け、取り外しや交換が極めて容易で、係止部材の着脱作業性、配置の自在性に優れた理美容器具係止スタンドを提供することができる。
【００２４】
請求項４に記載の考案によれば、請求項１乃至３の内いずれか１項の効果に加え、以下のような効果を有する。
（１）スリットに平板型支持部を挿入するだけで簡単に器具容器を着脱できる交換作業性に優れた理美容器具係止スタンドを提供することができる。
（２）平板型支持部が器具容器の底部を支持することにより、器具容器底部の強度を向上させ、理美容器具の自重によって容器が歪むことがなく、器具容器の形状安定性、理美容器具の収納安定性に優れた理美容器具係止スタンドを提供することができる。
【図面の簡単な説明】
【００２５】
【図１】実施の形態１の理美容器具係止スタンドの斜視図
【図２】（ａ）実施の形態１の理美容器具係止スタンドにおける格子状四角筒型係止部材の天板部と截頭錐状中空体との係止状態を示す斜視図（ｂ）実施の形態１の理美容器具係止スタンドにおける截頭錐状中空体と軸部との係止方法を示す分解斜視図
【図３】図１のＡ−Ａ線矢視断面図
【図４】実施の形態１の理美容器具係止スタンドの係止部材の変形例を示す斜視図
【図５】実施の形態２の理美容器具係止スタンドの斜視図
【図６】（ａ）実施の形態２の理美容器具係止スタンドにおける係止部材固定具を示す分解斜視図（ｂ）実施の形態２の理美容器具係止スタンドにおける係止部材固定具による係止部材と軸部との係止方法を示す分解斜視図
【考案を実施するための形態】
【００２６】
（実施の形態１）
本考案の実施の形態１における理美容器具係止スタンドについて、以下図面を参照しながら説明する。
図１は実施の形態１の理美容器具係止スタンドの斜視図であり、図２（ａ）は実施の形態１の理美容器具係止スタンドにおける格子状四角筒型係止部材の天板部と截頭錐状中空体との係止状態を示す斜視図であり、図２（ｂ）は実施の形態１の理美容器具係止スタンドにおける截頭錐状中空体と軸部との係止方法を示す分解斜視図であり、図３は図１のＡ−Ａ線矢視断面図である。
【００２７】
図１中、１は実施の形態１の理美容器具係止スタンド、２は円板状に形成された理美容器具係止スタンド１の底部支持部、２ａは理美容器具係止スタンド１を移動可能にする底部支持部２に固定されたキャスター、３は底部支持部２の中央に立設された軸部、３ａは軸部３の周壁部の長手方向に一定間隔を開けて形成された凹状溝部、４は軸部に着脱自在に係止された格子状四角筒型係止部材、４ａは格子状四角筒型係止部材４に上縁部の係止爪で着脱自在に係止された小型ケース、４ｂは格子状四角筒型係止部材４に上縁部の係止爪で着脱自在に係止された大型ケース、４ｃは格子状四角筒型係止部材４に背面の爪で係止されたフック、７は角度可変機構を備え軸部３の頂部に配設された容器支持部、８は容器支持部７の上部に五角形型の平板状に形成された平板型支持部、９は容器支持部７の平板型支持部８の角度を調節し易くするために平板型支持部８の下端に配設された把持部、１０は上部が開口した略箱状に形成され容器支持部７の平板型支持部８に着脱自在に係止された器具容器である。
【００２８】
底部支持部２には円盤上面に図示しない錘を固定して全体の重心を下げて安定化を図ると共に、更に錘を含めて全体にカバーをつけた。
底部支持部２にはステンレスやアルミ等の金属製、或いはポリオレフィンやポリカーボネート等の熱可塑性樹脂やフェノール樹脂やメラミン樹脂等の熱硬化性樹脂等の合成樹脂製、若しくは木材などからなる板状や円盤状等に形成されたものを使用することができる。また三角錘や円錐等の立体的な形状に形成することもできる。
移動手段としてキャスター２ａが底部支持部２に固定されているが、キャスターの他にアジャスターやベアリングキャスター、ローラー等を使用することができる。
本実施の形態１の容器支持部７は、螺子とグリップナットとを螺合させて得られる締め付け力を利用して角度を固定し、角度を変化させるときは螺合力を弱めて角度を調節する機構や、角度調節用のギヤとギヤとをばねの弾性力により圧接させて角度を固定し、ギヤ刃の数だけ多段階に角度調節可能なギヤ式角度調節機構等の角度調節機構を備えている。また、容器支持部７と軸部３とは容器支持部７の図示しない底部の嵌合部によって軸部３の頂部と着脱自在に嵌合されナットで底部が螺着されている。
【００２９】
次に、格子状四角筒型係止部材の天板部と截頭錐状中空体との係止状態及び截頭錐状中空体と軸部との係止方法について説明する。
図２（ａ）中、５は格子状四角筒型係止部材４の天板部中央に形成された輪状嵌合部、６は輪状嵌合部５が嵌合し上端よりも下端の外径が大きく形成された截頭錐状中空体である。
図２（ｂ）中、６ａは截頭錐状中空体６を形成する中空体パーツ、６ｂは中空体パーツの内部上端に形成され軸部３の凹状溝部３ａに嵌合する凸状部である。
軸部３は底部支持部２と同様の材質を用いることができる。本実施の形態１では截頭錐状中空体６を軸部３に固定する際に凸状部６ｂにより、使用時に截頭錐状中空体６の軸部３の長手方向へのズレを防止するため、長手方向と垂直に等間隔に截頭錐状中空体６の凸状部６ｂと嵌合する凹状溝部３ａを形成した。
格子状四角筒型係止部材４は表面を合成樹脂で被覆された金属線を曲げ，接合等の加工により四角筒型に形成し、天板部の中心に中空体６の外径よりも小径の輪状嵌合部５を形成し、底面の中心部には截頭錐状中空体６の外径よりも大きな穴を形成した。
本実施の形態の截頭錐状中空体６は合成樹脂製やゴム等の弾性素材等からなる中空体パーツ６ａ二個から成り、内部に軸部３の凹状溝部３ａに嵌合する凸状部６ｂが形成されている。凹状溝部３ａに凸状部６ｂを嵌合させるように中空体パーツ６ａを軸部３を囲むように嵌合させて截頭錐状中空体６を軸部３に固定し、この截頭錐状中空体６に輪状嵌合部５を係止させることで格子状四角筒型係止部材４を着脱自在に軸部３へ係止している。
【００３０】
次に、容器支持部と器具容器の係止状態について詳細を説明する。
図３中、１０ａは器具容器１０の上底板、１０ｂは上底板１０ａと所定間隔を空けて配設された下底板、１０ｃは器具容器１０の一側面の上底板１０ａと下底板１０ｂの間に形成され容器支持部７の平板型支持部８が着脱自在に挿通されるスリット、１０ｄは上底板１０ａの下部にスリット１０ｃと隣接して形成され平板型支持部８の上面に当接して器具容器１０の係止状態を安定化（抜け防止、ぐらつき防止など）させるための包接部材である。
容器支持部７の平板型支持部８は金属板で五角形型に形成した。平板型支持部８にはこの他に合成樹脂、木材等の材質を使用することができる。
把持部９は、金属や合成樹脂、木材等の材質からなり、直線状若しくはＬ字状等の形状に形成してあり、一端を平板型支持部８に固定し、他端にはグリップ部を設ける等して把持可能な状態にしてある。
器具容器１０は上部が開口した略箱状に形成してあり、一側面の下部（上底板１０ａと下底板１０ｂの間）にスリット１０ｃを形成してある。上底板１０ａの下部のスリット１０ｃ付近には平板型支持部８との係止状態を安定化させる包接部材１０ｄを接合してある。スリット１０ｃに平板型支持部８を挿入し、平板型支持部８の上面を包接部材１０ｄの表面に当接させることで、器具容器１０が確実に係止される。器具容器１０には紙や合成樹脂の板材や段ボール、又は金属板や木材等を用いることができる。
【００３１】
以上のように構成された本実施の形態１の理美容器具係止スタンドについて、以下、その使用方法を説明する。
格子状四角筒型係止部材４には、格子状四角筒型係止部材４と同質の材料で、曲げ及び接合等の加工によって、上面が開口した四角筒型に形成し、開口部付近にフックを固定した小型ケース４ａや大型ケース４ｂを着脱自在に係止させて小物類やドライヤーやアイロン等を収納することができる。また、前述の金属線の曲げ加工や合成樹脂からの成型によって形成されたフック４ｃを着脱自在に係止させてドライヤーやアイロン、手鏡等を掛止させても良い。このように係止部材を格子状に形成した場合は、小型ケース４ａや大型ケース４ｂやフック４ｃ等の係止部品を介して理美容器具を係止することも収納することもできる。
器具容器１０は、スリット１０ｃへ平板型支持部８を挿入、係止して容器支持部７に保持したのち、ロッド，ダカール，パーマネント用ペーパー，輪ゴム等の理美容器具やタオル等を載置することができる。また、器具容器１０は各々の理美容器具を収納し易いように内部を区分けすることや、ロッド等の中空体状或いは棒状の理美容器具を収納し易いように凸状或いは凹状の嵌合部を形成することもできる。
【００３２】
サービスの各段階で必要な理美容器具のうち使用頻度の高い小物類を器具容器１０に収納し、ドライヤーやアイロン等の大型のものは大型ケース４ｂに収納して、その他ハサミやダカール等は小型ケース４ａに収納し、また輪ゴム等をフック４ｃに掛止して施術に必要な理美容器具を整理して使用することができる。また、器具容器１０を別途複数準備しておき、サービスの各段階で簡単に交換していくこともできる。把持部９を持って容器支持部７の角度の調節や取り換えをすることもでき、立った状態や座った状態等様々な姿勢で作業のしやすい角度に設定できる。
尚、格子状四角筒型係止部材４には表面を露出或いは塗装してある金属線や、合成樹脂や紐等で被覆された金属線等を曲げ，接合等の加工により円筒状や三角筒或いは四角筒型等の立方的な形状、若しくは板状にも形成することができる。
【００３３】
図４は実施の形態１の理美容器具係止スタンドの係止部材の変形例を示す斜視図である。尚、図４において、実施の形態１で説明したものと同様のものには同じ符号を付して説明を省略する。
図４中、１１は輪状係止部材、１１ａは輪状嵌合部５及び上下に並設した複数のリング線材１１ｂを縦に連結する連結線材、１２は輪状係止部材１１のリング線材１１ｂを挟むようにして係止したダカール、１３はピンチ、１４はピンチ１３を輪状係止部材１１のリング線材１１ｂに摺動可能に係止させる環状のピンチ係止部材である。
【００３４】
連結線材１１ａやリング線材１１ｂには、格子状四角筒型係止部材４の線材と同様のものを用いることができる。リング線材１１ｂは様々な大きさに形成することができ、また形状は円形状だけではなく多角形状や星型、楕円形状等にすることができる。連結線材１１ａは輪状嵌合部５と各々のリング線材１１ｂとを連結させるために輪状嵌合部５およびリング線材１１ｂに接着，溶着，溶接等によって接合されている。
輪状係止部材１１には、リング線材１１ｂを挟むようにして、ダカール１２やクリップ等を簡便に係止することができ、複数のダカール１２やクリップ等を作業順に並べて整理することにより、作業性を向上させることができる。また、ピンチ１３でタオルを挟んで保持することができる。
【００３５】
以上のように実施の形態１の理美容器具係止スタンドは形成されているので、以下の作用が得られる。
（１）格子状四角筒型係止部材４，小物ケース４ａ，大型ケース４ｂ，フック４ｃ，器具容器１０等により、多くの種類の理美容器具を各々が収納・取出しを適切に行える状態で係止、収納して整理できるので施術作業効率が上がる。
（２）容器支持部７は角度調節機構を備えているので施術者各人にあった角度に容易に設定でき、立った状態や座った状態等、様々な体勢で使用し易い。
（３）格子状四角筒型係止部材４や輪状係止部材１１が輪状嵌合部５と截頭錐状中空体６によって軸部３に係止されているので軸部３と着脱自在であり、また容器支持部７も図示しない底部の嵌合部によって軸部３と着脱自在で、他の係止部材や容器支持部と容易に交換することができ、より多くの種類の理美容器具等やタオル等、施術で使用するものをグループごとに纏めて整理して係止可能である。
（４）理美容器具係止スタンド１が底部支持部２にキャスター２ａを備えているので、理美容器具係止スタンド１を容易に移動可能で、必要な時に必要な場所へすぐに準備することができ、また施術者が施術中に任意の場所へ容易に移動させることができるので施術作業性が向上する。
（５）底部支持部２に図示しない錘を備えているので、理美容器具係止スタンド１の重心が低く、設置の安定性が増し、移動時や使用中に施術者や顧客がぶつかった際の転倒の恐れがなく、安全性に優れている。
（６）器具容器１０を備えているので、理美容器具を理美容器具係止スタンド１の頂部にも収納可能で、また使用頻度の高いものを優先して手の届きやすい頂部の器具容器１０に配置することで施術作業性を向上させることができる。
（７）容器支持部７が角度調節機構を備えているので、器具容器１０の角度を施術者の所望の角度に容易に設定でき、座った状態や立った状態等のそれぞれの姿勢で施術作業性を著しく向上させることができる。
（８）器具容器１０内部にロッド立てやペーパー収容部、輪ゴム収容部等を適宜形成することができ、収容性に優れている。
（９）截頭錐状中空体６が軸部３に着脱自在に嵌合され、その截頭錐状中空体６に格子状四角筒型係止部材４や輪状係止部材１１の輪状嵌合部５が着脱自在に係止されるので、軸部３に格子状四角筒型係止部材６や輪状係止部材１１を着脱自在に係止でき、更に取付け，取り外し，交換が著しく容易となる。
（１０）スリット１０ｃに容器支持部７を挿入するだけで簡単に器具容器１０を着脱可能なので、交換作業性に優れる。
（１１）容器支持部７の平板型支持部８が器具容器１０の底部（上底板１０ａ）を支持するので器具容器１０の底部の強度を向上させ、理美容器具の自重によって器具容器１０が歪むことがなく、器具容器の形状安定性、理美容器具の収納安定性に優れる。
【００３６】
（実施の形態２）
図５は実施の形態２の理美容器具係止スタンドの斜視図である。尚、図５において、実施の形態１で説明したものと同様のものには同じ符号を付して説明を省略する。
図５中、１ａは実施の形態２の理美容器具係止スタンド、１５は軸部３の下端と底部支持部２の上面中心部にかけて形設されたダンパー、１５ａはダンパーを操作するフットレバー、１６は格子状四角筒型係止部材４の長手方向の長さを短く形成した格子状四角筒型係止部材、１６ａは格子状四角筒型係止部１６の上面に斜め上方に向かって突設されロッド２２等の中空状の理美容器具を係止するための棒状のロッド等係止具、１７は軸部３に着脱自在に配設されたアーム状係止具、１７ａは軸部３に着脱自在に嵌合するアーム状係止具１７の嵌合部、１７ｂは板材や線材などで形成され嵌合部１７ａの周りに放射状に配置されたアーム状係止具１７の支持部材、１７ｃは支持部材１７ｂの先端から斜め上方に突設されロッド２２等が挿通されて係止される棒状のアーム状係止具１７の係止アーム、１８は軸部３に着脱自在に配設された吊止部、１８ａは軸部３に着脱自在に嵌合する吊止部１８の嵌合部、１８ｂは嵌合部１８ａと一体に形成された吊止部１８のアーム基部、１８ｃはＵ字状等に形成されアーム基部１８ｂの先端に固設された吊止部１８の大型のフック、１９は大型クリップ２０を備え実施の形態１の容器支持部７と同様の角度調節機構を有し図示しない嵌合部で軸部３の先端部に着脱自在に嵌合した容器支持部、２１は一側部に形設された板状の容器把持部２１ａが大型クリップ２０に挟まれることで容器支持部１９に着脱自在に保持された器具容器である。
【００３７】
実施の形態２では、格子状四角筒型係止部材１６は実施の形態１の格子状四角筒型係止部材４と同様に表面を合成樹脂で被覆された金属線を用いて曲げ，接合等の加工により四角柱状に形成し、更に上面にロッド等係止具１６ａが形成されている。アーム状係止具１７は合成樹脂からなり、嵌合部１７ａの内表面をゴムで覆い形成した。また、吊止部１８は嵌合部１８ａとアーム基部１８ｂが合成樹脂からなり、嵌合部１８ａの内表面はゴムにより覆い、フック１８ｃは表面を露出した金属線をＵ字に曲げ加工して形成した。アーム状係止具１８は軸部３を挟み込むようにして嵌合し、更に螺子とグリップナットの螺合力による締め付けによってより強固に軸部３へ係止される。
尚、アーム状係止具１７と吊止部１８はポリエチレン，ポリプロピレン，ＡＢＳ，ポリスチレン，ポリカーボネート等の熱可塑性樹脂、フェノール樹脂，メラミン樹脂等の熱硬化性樹脂、ゴム、木材、ステンレスやアルミニウム等の金属や合金等で形成することができる。
器具容器２１は合成樹脂や段ボール等により上面が開口している略箱状に形成し、一側面の下部に大型クリップ２０で挟持可能な容器把持部２１ａを形設した。
【００３８】
以上のように構成された実施の形態２の理美容器具係止スタンドについて、以下、その使用方法を説明する。
格子状四筒柱型係止部材１６には小型ケース４ａ（若しくは実施の形態１の大型ケース４ｂ）を係止して小物類やドライヤーやアイロン等を収納することができる。また、格子状四筒柱型係止部材１６に係止したフック４ｃにドライヤーやアイロン、手鏡等のフック部分を掛止してもよい。
ロッド等係止具１６ａを備えているので、ロッド２２等の中空体状の理美容器具や輪ゴム等の輪状の理美容器具を係止することができる。
器具容器２１は、大型クリップ２０で容器把持部２１ａを挟持した後、ロッド，ダカール，パーマネント用ペーパー，輪ゴム等の理美容器具やタオル等を載置することができる。また、器具容器２１は各々の理美容器具を収納し易いように内部を区分けしたり、ロッド等の中空体状或いは棒状の理美容器具を収納し易いように内部に凸状或いは凹状の嵌合部を形成することもできる。
サービスの各段階で必要な理美容器具のうち使用頻度の高い小物類を器具容器２１に収納できるので、器具容器２１を別途複数準備しておき、サービスの各段階で交換していくこともできる。
また、昇降装置であるダンパー１５を軸部３の下端に備えているのでフットレバー１５ａを足で操作することにより、施術者に合わせて全体の高さを昇降して施術者の所望の高さに調整できる。
【００３９】
ここで、截頭錐状中空体の代わりに軸部に配設され係止部材が着脱自在に係止される係止部材固定具について説明する。
図６（ａ）は実施の形態２の理美容器具係止スタンドにおける係止部材固定具を示す分解斜視図であり、図６（ｂ）は実施の形態２の理美容器具係止スタンドにおける係止部材固定具による係止部材と軸部との係止方法を示す分解斜視図である。
図６（ａ）において、３０は軸部３に配設され格子状四角筒型係止部材４，１６等の係止部材が着脱自在に係止される係止部材固定具、３１は合成樹脂等からなり軸部３に着脱自在に固定される係止部材固定具３０の挟持部材、３１ａは軸部３の外形と略同一の内径で略円筒状に形成され長手方向と平行な切れ目３１ｂを有する軸挿通部、３１ｃは軸挿通部３１ａの切れ目３１ｂの両側から延設され隙間３１ｄを介して対向配置された一対の固定片、３１ｅは各々の固定片３１ｃに穿設された貫通孔、３１ｆは軸挿通部３１ａの外周に放射状に突設された３箇所の突片部、３２は各々の固定片３１ｃの貫通孔３１ｅに挿通される固定ねじ、３３は固定ねじ３２に挿通されるワッシャ、３４は固定ねじ３２に螺合されるナット、３５は合成樹脂等からなり挟持部材３１の上面に載置される係止部材固定具３０のリング部材、３５ａは輪状嵌合部５の内径よりも小さな外径を有しリング部材３５の上面に突設された円筒状の凸部、３５ｂは軸部３の外形と略同一の直径に形成されたリング部材３５の軸挿通孔である。
【００４０】
以上のように構成された係止部材固定具３０による係止部材の係止方法について説明する。
まず、挟持部材３１の軸挿通部３１ａに軸部３を挿通し、所望の位置まで移動させる。次に、一方の固定片３１ｃの貫通孔３１ｅから固定ねじ３２を挿入し、他方の固定片３１ｃ側から固定ねじ３２にワッシャ３３を挿通し、ナット３４を螺合する。この締付力により、突片部３１ｃ，３１ｃ間の隙間３１ｄを狭め、挟持部材３１を軸部３へ強固に固定する。
そして、リング部材３５の下面が挟持部材３１の上面に当接して止まるまで軸挿通孔３５ｂに軸部３を挿通する。挟持部材３１の突片部３１ｃ及び突片部３１ｆが略十字状に等角度間隔で形設されているので、リング部材３５を確実に支持することができる。
その後、格子状四角筒型係止部材１６（若しくは輪状係止部材１１）などの係止部材の輪状嵌合部５をリング部材３５の凸部３５ａに挿通し、リング部材３５に載置することで、格子状四角筒型係止部材１６（若しくは輪状係止部材１１）などの係止部材を軸部３に係止することができる。
以上のように構成された係止部材固定具３０によれば、係止部材の軸部３への係止が、輪状嵌合部５をリング部材３５に載置するだけの簡単な作業で実現できる。また、挟持部材３１が軸部へ強固に固定されているので、係止部材自身の質量や係止部材に係止される各種理美容器具の質量等によって下方に位置ずれする恐れがなく信頼性に優れると共に、固定ねじ３２とナット３４を緩めるだけの簡単な動作で係止部材固定具３０と共に係止部材の取付位置（高さ）を変更することができ、組み立て容易性に優れる。
【００４１】
以上のように実施の形態２の理美容器具係止スタンドは形成されているので、実施の形態１で得られる作用に加え、以下の作用が得られる。
（１）格子状四角筒型係止部材１６，ロッド等係止具１６ａ、小物ケース４ａ，フック４ｃ，アーム状係止具１７，吊止部１８，器具容器２１等により多くの種類の理美容器具を各々が最も収納・取出しを適切に行える状態で収納，整理できるので施術作業効率が上がる。
（２）クリップ型の容器支持部１９は角度調節機構を備えているので容易に適切な角度に設定でき、立った状態や座った状態等、様々な体勢で施術者の所望の角度に調整して使用し易く、施術作業性を向上させることができる。
（３）格子状四角筒型係止部材１６や輪状係止部材１１が輪状嵌合部５と截頭錐状中空体６によって軸部３に係止されているので軸部３と着脱自在であり、またクリップ型の容器支持部１９も図示しない底部の嵌合部によって着脱自在なので他の係止部材や容器支持部に交換可能でより多くの種類の理美容器具等やタオル等、施術で使用するものをグループごとに纏めて整理して係止可能である。
（４）ダンパー１５を備えているので施術者の所望の高さに調節が容易で、作業性を向上することができる。
（５）格子状四角筒型係止部材１６，輪状係止部材１１，アーム状係止具１７，吊止部１８等の複数種類の係止部材を有しているので、様々な理美容器具に最適な係止手段を選択することができ、より多くの種類の理美容器具を多数収納可能で、収納性に優れ、さらに理美容器具の収納と取り外しが容易なので、施術作業性を向上させることができる。
（６）器具容器２１の容器把持部２１ａがクリップ型の容器支持部１９の大型クリップ２０に把持されて理美容器具係止スタンド１ａの頂部に係止されているので、着脱自在で、取付けや取り外し、交換等の作業も簡単に行うことができる。
（７）理美容器具係止スタンド１ａの格子状四角筒型係止部材１６にはロッド等係止具１６ａが形成されているので、格子状四角筒型係止部材１６にロッド２２を直接係止させて収納可能なのでパーマネント施術に最適な理美容器具係止スタンドとすることができる。
【産業上の利用可能性】
【００４２】
カット施術やパーマネント施術等に必要となるロッド，ダカール，ピン，アイロン，コーム，ハサミ，カーラー，ブラシ等の多くの種類の理美容器具を多数着脱自在に係止して機能的かつコンパクトに収納及び取り外しが容易で、更に多くの理美容器具を手元に置いておくことが可能なので作業性を著しく向上させるとともに、大型の移動式ワゴン等のように設置スペースを確保する必要がなくなり、美容室、理容室の店内の空間を有効に利用することのできる理美容器具係止ワゴンを提供することができる。
【符号の説明】
【００４３】
１、１ａ  理美容器具係止スタンド
２  底部支持部
２ａ  キャスター
３  軸部
３ａ  凹状溝部
４、１６  格子状四角筒型係止部材
４ａ  小型ケース
４ｂ  大型ケース
４ｃ  フック
５  輪状嵌合部
６  截頭錐状中空体
６ａ  中空体パーツ
６ｂ  凸状部
７  容器支持部
８  平板型支持部
９  把持部
１０  器具容器
１０ａ  上底板
１０ｂ  下底板
１０ｃ  スリット
１０ｄ  包接部材
１１  輪状係止部材
１１ａ  連結線材
１１ｂ  リング線材
１２  ダカール
１３  ピンチ
１４  ピンチ係止部材
１５  ダンパー
１５ａ  フットレバー
１６ａ  ロッド等係止具
１７  アーム状係止具
１７ａ、１８ａ  嵌合部
１７ｂ  支持部材
１７ｃ  係止アーム
１８  吊止部
１８ｂ  アーム基部
１８ｃ  フック
１９  容器支持部
２０  大型クリップ
２１  器具容器
２１ａ  容器把持部
２２  ロッド
３０  係止部材固定具
３１  挟持部材
３１ａ  軸挿通部
３１ｂ  切れ目
３１ｃ  固定片
３１ｄ  隙間
３１ｅ  貫通孔
３１ｆ  突片部
３２  固定ねじ
３３  ワッシャ
３４  ナット
３５  リング部材
３５ａ  凸部
３５ｂ  軸挿通孔
【図１】
0003159071.tif 000003
【図２】
0003159071.tif 000004
【図３】
0003159071.tif 000005
【図４】
0003159071.tif 000006
【図５】
0003159071.tif 000007
【図６】
0003159071.tif 000008